(57)【要約】【課題】後施工を可能とすると共に美観の維持を図り、かつ加工時間や材料コストの低減を図ることのできる仮囲い下部の閉塞方法を提供する。【解決手段】工事現場の敷地周囲に設けられる仮囲い１０を構成する仮囲いパネル２０の下部に生じる隙間を閉塞するための方法であって、仮囲いパネル２０における外側面下部の汚れを払拭する下地工程と、化粧板２６を前記隙間と予め定めた貼り合せ代を加算した幅で切断し、閉塞板２４を形成する閉塞板形成工程と、閉塞板２４における貼り合わせ代相当部に、接着部材２８を貼付、あるいは塗布する装着工程と、仮囲いパネル２０の外側面下部に、接着部材２８を介して閉塞板２４を貼付して、前記隙間を閉塞する貼付工程と、を有することを特徴とする。【選択図】図１
2019218818.tif 000002
【特許請求の範囲】
【請求項１】
工事現場の敷地周囲に設けられる仮囲いを構成する仮囲いパネルの下部に生じる隙間を閉塞するための方法であって、
前記仮囲いパネルにおける外側面下部の汚れを払拭する下地工程と、
前記隙間と予め定めた貼り合せ代を加算した所定の幅と長さで切断して閉塞板を形成する閉塞板形成工程と、
前記閉塞板における前記貼り合わせ代相当部に、接着部材を貼付、あるいは塗布する装着工程と、
前記仮囲いパネルの外側面下部に、前記接着部材を介して前記閉塞板を貼付して、前記隙間を閉塞する貼付工程と、を有することを特徴とする仮囲い下部の閉塞方法。
【請求項２】
前記貼付工程の後、前記閉塞板と地面との間に、シール材を打設することを特徴とする請求項１に記載の仮囲い下部の閉塞方法。
【請求項３】
前記閉塞板として、前記仮囲いパネルの外周面と同系色の部材を採用することを特徴とする請求項１または２に記載の仮囲い下部の閉塞方法。
【請求項４】
工事現場の敷地周囲に設けられる仮囲いを構成する仮囲いであって、
予め定められた高さで固定されている仮囲いパネルの外側面下部に、化粧板により構成した閉塞板を貼付したことを特徴とする仮囲い。
【請求項５】
前記閉塞板は、前記仮囲いパネルの外側面と同系色であることを特徴とする請求項４に記載の仮囲い。
【発明の詳細な説明】
【技術分野】
【０００１】
本発明は、隙間を閉塞するための技術に係り、特に、工事現場等において現場の周囲に設けられる仮囲いの下部に生じる隙間を閉塞する場合に好適な方法および、この方法を採用した仮囲いに関する。
【背景技術】
【０００２】
工事現場等において、現場の周囲に設けられる仮囲いの下部に生じる隙間を閉塞する技術としては、特許文献１や特許文献２に開示されているようなものが知られている。特許文献１に開示されている技術は、仮囲いパネルの上下に滑車部材を配置し、柱部材の間に架け渡したレール状の部材に滑車部材を係止することで、仮囲いパネルの固定を行っている。そして、仮囲いパネルの裏面であって、下部側に設けた滑車部材には、上下方向に長孔を設けた巾木パネルが係止可能に配置されている。
【０００３】
このような構成の仮囲いでは、仮囲いパネルに対して、巾木パネルが長孔に沿って上下動することで、レール状部材に係止された仮囲いパネルの下部に構成される隙間を巾木パネルにより閉塞することができる。
【０００４】
特許文献２に開示されている技術は、仮囲いパネルを係止するための下地材の構成に関するものであり、係止のためのメインフレームとこれを支持する係止手段との間に、巾木としての役割を担うチューブタンクを配置することが開示されている。
【先行技術文献】
【特許文献】
【０００５】
【特許文献１】特開平１０−８７８１号公報
【特許文献２】特開２０００−３５２２０１号公報
【発明の概要】
【発明が解決しようとする課題】
【０００６】
上記特許文献に開示されているような技術によれば、仮囲いパネルの下部に生ずる隙間を閉塞することはできる。しかし、いずれの技術においても、閉塞部材は仮囲いの内側に配置され、敷地に余裕が無い現場では、工事資材等の配置によっては、後施工が困難になると共に、パネル下に段差が生じることより、外観上の見た目（美観）が悪いといった問題がある。
【０００７】
また、特許文献１に開示されている巾木パネルは、仮囲いパネルと同等の幅にカットすると共に、上下動と係止のための長孔を形成しているため、加工に要する時間が長くなってしまうという問題がある。さらに、特許文献２に開示されているような構成では、巾木用部材として、複数のチューブタンクを用意する必要があり、コストがかさむといった問題がある。
【０００８】
そこで本発明では、上記問題を解決し、後施工を可能とすると共に美観の維持を図り、かつ加工時間や材料コストの低減を図ることのできる仮囲い下部の閉塞方法、および仮囲いを提供することを目的とする。
【課題を解決するための手段】
【０００９】
上記目的を達成するための本発明に係る仮囲い下部の閉塞方法は、工事現場の敷地周囲に設けられる仮囲いを構成する仮囲いパネルの下部に生じる隙間を閉塞するための方法であって、前記仮囲いパネルにおける外側面下部の汚れを払拭する下地工程と、前記隙間と予め定めた貼り合せ代を加算した所定の幅と長さで切断して閉塞板を形成する閉塞板形成工程と、前記閉塞板における前記貼り合わせ代相当部に、接着部材を貼付、あるいは塗布する装着工程と、前記仮囲いパネルの外側面下部に、前記接着部材を介して前記閉塞板を貼付して、前記隙間を閉塞する貼付工程と、を有することを特徴とする。
【００１０】
また、上記のような特徴を有する仮囲い下部の閉塞方法では、前記貼付工程の後、前記閉塞板と地面との間に、シール材を打設する工程を設けるようにする。このような特徴を有することによれば、工事現場で水を使用した場合であっても、水や汚水が仮囲いの外部に漏えいすることを防ぐことができる。
【００１１】
さらに、上記のような特徴を有する仮囲い下部の閉塞方法では、前記閉塞板として、前記仮囲いパネルの外周面と同系色の部材を採用する。このような特徴を有することによれば、仮囲いパネルと閉塞板との色合いが近似し、隙間閉塞後の仮囲いに一体感が生じ、美観の向上を図ることができる。
【００１２】
また、上記目的を達成するための本発明に係る仮囲いは、工事現場の敷地周囲に設けられる仮囲いを構成する仮囲いであって、予め定められた高さで固定されている仮囲いパネルの外側面下部に、化粧板により構成した閉塞板を貼付したことを特徴とする。
【００１３】
さらに、上記のような特徴を有する仮囲いにおいて前記閉塞板は、前記仮囲いパネルの外側面と同系色とする。このような特徴を有することによれば、仮囲いパネルと閉塞板との色合いが近似し、隙間閉塞後の仮囲いに一体感が生じ、美観の向上を図ることができる。
【発明の効果】
【００１４】
上記のような特徴を有する仮囲い下部の閉塞方法、および仮囲いによれば、閉塞板の設置作業を現場への資材搬入後などにも行うことができる。また、仮囲いパネルとの間に生じる段差を小さくすることができるため、従来に比べて美観の向上を図ることができる。さらに、加工が容易な一般材量を切断して閉塞板を構成することで、加工時間や材料コストの低減を図ることもできる。
【図面の簡単な説明】
【００１５】
【図１】実施形態に係る仮囲いを側面から見た場合の構成を示す図である。
【図２】実施形態に係る仮囲いを構成する仮囲いパネルの形態を示す斜視図である。
【図３】化粧板を切断して構成される閉塞板の様子を示す斜視図である。
【図４】閉塞板の取付状態を示す部分拡大図である。
【図５】実施形態に係る仮囲いの外側面側の様子を示す斜視図である。
【図６】閉塞板による仮囲いパネル下部の隙間を閉塞する際の工程を示すフロー図である。
【図７】実施形態に係る仮囲いの応用形態を示す図であり、閉塞板と地面との間にシール材を打設した様子を示す図である。
【図８】実施形態に係る仮囲いの応用形態を示す図であり、閉塞板の内側面側下端部に、バッカーを配置した様子を示す図である。
【発明を実施するための形態】
【００１６】
以下、本発明の仮囲い下部の閉塞方法、および仮囲いに係る実施の形態について、図面を参照して詳細に説明する。なお、以下に示す形態は、本発明を実施する上で好適な形態の一部に過ぎず、各構成要素の具体的形態においては、その機能を確保する上で支障の無い限りにおける変形を加えたとしても、本発明の一部とみなすことができる。
【００１７】
［仮囲い］
まず、本実施形態に係る仮囲いの構成について、図１から図５を参照して説明する。なお、図面において図１は、実施形態に係る仮囲いを側面から見た場合の構成を示す図である。また、図２は、実施形態に係る仮囲いを構成する仮囲いパネルの形態を示す斜視図である。また、図３は、化粧板を切断して構成される閉塞板の様子を示す斜視図である。また、図４は、閉塞板の取付状態を示す部分拡大図である。さらに、図５は、実施形態に係る仮囲いの外側面側の様子を示す斜視図である。
【００１８】
実施形態に係る仮囲い１０は、工事現場等の敷地の周囲であって、敷地と敷地外との境界に設置されることが多い。仮囲い１０は、固定フレーム１２と、仮囲いパネル２０、および閉塞板２４を基本として構成されている。固定フレーム１２は、仮囲いパネル２０を配置、および固定するための基礎としての役割を担う要素である。その具体的構成は、特に限定するものでは無く、安定して仮囲いパネル２０を配置、および固定することができる構成であれば良い。本実施形態では、図１に示すように、いわゆる鳥居型の足場枠１４と、この足場枠１４間に架け渡す足場板１６やパイプ１８などにより構成する例を示している。所定の間隔で配置した足場枠１４間に足場板１６やパイプ１８を架け渡すことで、安定した基礎とすることができるからである。
【００１９】
仮囲いパネル２０は、工事現場の目隠しや、防音、塵埃、飛散物などが外部へ拡散すること防止するための役割を担うパネルである。仮囲いパネル２０も、固定フレーム１２と同様に、具体的な構成については問うものではない。実施形態の場合、薄手の鋼板などにより形成されたフラットパネルとし、両側部に連結部２０ａ，２０ｂを備える構成としている。連結部２０ａ，２０ｂは、単なる凹凸でも良いが、クランク形状やフック形状とすることで、隣接配置される仮囲いパネル２０との連結を確実なものとすることができる。ここで、仮囲いパネル２０は、少なくとも外側となる面が、塗装等が施された化粧面とされることが望ましい。
【００２０】
上記のような構成の仮囲いパネル２０は、パネル間の連結部などに止め金具や固定金具２２が配置され、上述した固定フレーム１２のパイプ１８に対して、固定金具２２を介して位置決め固定される。
【００２１】
閉塞板２４は、仮囲いパネル２０と地面との間に形成される隙間を閉塞する役割を担う要素である。本実施形態では、切断加工が容易な樹脂板やベニヤ板などを隙間寸法に応じて切断することで構成する。閉塞板２４の切断幅Ｄ０は、隙間寸法Ｄ１と、仮囲いパネル下部における貼り合わせ代Ｄ２とを加算した値とすれば良い。なお、閉塞板２４を構成する樹脂板やベニヤ板は、仮囲いパネルの化粧面に合わせた色彩を持つ樹脂板や、当該色彩によるコーティング面を持つ板である化粧板２６とすることが望ましい。隙間の閉塞に関し、外観上の違和感を無くし、美観の向上を図ることができるからである。また、塗装に比べ、塗料の乾燥を待つ必要が無く、スムーズな作業を行うことができる。なお、閉塞板２４を構成する樹脂とは、例えばアクリルや、ポリカーボネート、硬質塩化ビニル等であれば良い。
【００２２】
図５に示すように閉塞板２４は、その長さに応じて、１枚から複数枚の仮囲いパネル２０の下端部を跨ぐように連続配置することで、仮囲いパネル２０と地面との間の隙間を塞ぐことができる。閉塞板２４は、仮囲いパネル２０の外側における下端部に、両面テープ等の接着部材２８を介して固定される。仮囲いパネル２０の外側から配置が可能なため、仮囲い１０を構成する仮囲いパネル２０を設置した後であればいつでも、工事資材等の搬入の如何を問わず、設置することが可能となる。なお、閉塞板２４の切断幅Ｄ０を定めるための貼り合わせ代Ｄ２は、接着部材２８の強度等によっても異なることとなるが、設置された閉塞板２４が所定の強度を持つこととなるように、予め定めれば良い。また、接着部材２８としての両面テープは、接着面における凹凸や段差がある場合であっても接着性を確保できるように、厚手のものや、クッション性のあるものを採用することが望ましい。
【００２３】
［閉塞方法］
次に、上記のような仮囲い１０を構成する場合において、特徴的な要素である閉塞板２４による隙間の閉塞方法についての具体的手法について図６を参照して説明する。
【００２４】
閉塞板２４を設置する際にはまず、固定フレーム１２に固定された仮囲いパネル２０における外側面下部、すなわち閉塞板２４の設置個所における汚れ（泥、埃、油分、水分等）を払拭し、閉塞板２４を設置するための下地作りを行う（下地工程：ステップ１０）。
【００２５】
次に、閉塞板２４を構成するための化粧板２６を、予め定めた切断幅Ｄ０に従って切断し、複数の閉塞板２４を形成する（閉塞板形成工程：ステップ２０）。閉塞板２４の形成が完了した後、閉塞板２４の貼り合わせ代部分に対して、両面テープ等の接着部材２８を貼付、あるいは塗布する（装着工程：ステップ３０）。
【００２６】
次に、貼り合わせ代に接着部材２８を貼付、あるいは塗布した閉塞板２４を仮囲いパネル２０の外側面下部に配置し、接着部材２８を介して貼付、固定し、仮囲いパネル２０と地面との間の隙間を閉塞する（貼付工程：ステップ４０）。
【００２７】
［効果］
上記のようにして、仮囲いパネル２０の下部に生じる隙間を閉塞することによれば、仮囲いパネル２０を配置した後、いつでも容易に施工することができる。また、閉塞板２４の材料として仮囲いパネル２０の化粧面に合わせた化粧板２６を用いることで、美観の維持を図ることができる。さらに、加工が容易な一般材量を用いて閉塞板２４を構成することより、加工時間や材料コストの低減を図ることもできる。
【００２８】
［応用形態］
上記のような仮囲い１０には、閉塞板２４を設置した後、図７に示すように、閉塞板２４の下部と地面との間に、シール材３０を打設するようにしても良い。閉塞板２４の貼付により、仮囲いパネル２０の下部に生じる大きな隙間を閉塞することは可能である。一方、地面の凹凸などに起因した僅かな隙間は残存する。工事現場の敷地内で水などを使用する場合、この僅かな隙間を介して仮囲い１０の外側に水や汚水が漏えいする虞もある。図７のようにシール材３０を打設することによれば、閉塞板２４と地面との間に生じる僅かな隙間を閉塞し、水や汚水などの漏えいを防ぐことが可能となる。
【００２９】
また、閉塞板２４を構成する部材が薄手の材料であったり、閉塞板２４に所定の設置強度が必要な場合には、図８に示すように、閉塞板２４の裏側であって、地面との間に、バッカー３２を配置し、閉塞板２４の下端部を支えるようにしても良い。バッカー３２の構成部材は、特に限定するものではなく、角材等、工事現場にて調達可能なもので良い。
【符号の説明】
【００３０】
１０………仮囲い、１２………固定フレーム、１４………足場枠、１６………足場板、１８………パイプ、２０………仮囲いパネル、２２………固定金具、２４………閉塞板、２６………化粧板、２８………接着部材、３０………シール材、３２………バッカー。
【図１】
2019218818.tif 000003
【図２】
2019218818.tif 000004
【図３】
2019218818.tif 000005
【図４】
2019218818.tif 000006
【図５】
2019218818.tif 000007
【図６】
2019218818.tif 000008
【図７】
2019218818.tif 000009
【図８】
2019218818.tif 000010